(57)【特許請求の範囲】
【請求項１】
基台の上方に配置された外周材と、この外周材に固定された弾性舌片とを備え、上記外
周材の内側に載置される物品に上記弾性舌片が追随して撓んで当該物品を保持する物品選
別用受皿であって、
上記基台と弾性舌片との間に、上記物品に追随して撓んだ弾性舌片により押し曲げられ
る弾性棒材が配置され、
上記弾性棒材は、基台の内側から外側に亘って複数の放射状の列および円弧状の行とによってブラシ状に配置され、一端部を基台に固定することにより、上記弾性舌片の撓みの大きさによって、より外側の弾性棒材まで押し曲げられるように配置され、押し曲げられた状態からの復元力により、上記弾性舌片の面で上記物品を保持させるものであることを特徴とする物品選別用受皿。
【請求項２】
載置された物品に測定光が照射されて当該物品の品質を測定させるものであり、弾性棒材が、上記測定光を妨げない位置に配置されたことを特徴とする請求項１に記載の物品選別用受皿。
【請求項３】
外周材に固定された前記弾性舌片は外周側で連続しかつ円周方向に多数形成され、前記物品選別用受皿はコンベヤに載置搬送され、物品選別用受皿における物品選別用受皿の搬送先側および搬送元側をそれぞれ前方および後方とし、多数形成された弾性舌片のうち、前方位置および後方位置の弾性舌片は長尺とし、側方位置の弾性舌片を短尺とし、弾性棒材が、長尺の弾性舌片の下方でかつ平面視において基台の中心に対して前後に非対称に配置されることを特徴とする請求項１乃至２のいずれか一項に記載の物品選別用受皿。
【請求項４】
弾性棒材が、丸棒状に形成されたものであることを特徴とする請求項１乃至３のいずれ
か一項に記載の物品選別用受皿。
【請求項５】
弾性棒材が、基台の略水平面に対して略垂直に配置されたことを特徴とする請求項１乃
至４のいずれか一項に記載の物品選別用受皿。
【請求項６】
基台が、外周材の内側に載置される物品に追随して撓んで当該物品を保持するように構
成されたことを特徴とする請求項１乃至５のいずれか一項に記載の物品選別用受皿。
【発明の詳細な説明】
【技術分野】
【０００１】
本発明は、農産物に代表される物品を載置して選別するために使用される物品選別用受皿に関するものである。
【背景技術】
【０００２】
果物や野菜などの農産物は、出荷前に、内部品質および外観品質が調べられ、これら内部品質および外観品質から決定された等階級に基づいて選別される。この選別は、一般的に、農産物をコンベヤで搬送しながら仕分ける工程により行われる。この工程において、農産物を搬送および仕分けによる衝撃から保護し、また、内部品質および外観品質を調べやすくするため、農産物を載置する専用の受皿が使用される。このような受皿として、様々な形状や大きさの農産物にも対応可能なものが提案されている（例えば、特許文献１参照）。
【先行技術文献】
【特許文献】
【０００３】
【特許文献１】特開平１０−２４９２８６号公報
【発明の概要】
【発明が解決しようとする課題】
【０００４】
ところで、上記特許文献１に記載の受皿は、長尺の弾性舌片（長尺弾性ひれ状片４０３）の下側に階段上に短尺の弾性舌片（短尺弾性ひれ状片４０４）を設け、これら長尺の弾性舌片の内端を、最小径の農産物の外側輪郭に位置するように構成したものである。この構成では、載置された農産物に追随して撓んだ弾性舌片の復元力のみが、農産物を保持する保持力として作用するので、保持力が小さく、農産物を適切且つ十分に保持することができなかった。
【０００５】
そこで、本発明は、載置された物品を適切且つ十分に保持することができる物品選別用受皿を提供することを目的としたものである。
【課題を解決するための手段】
【０００６】
前述した目的を達成するために、本発明のうち請求項１に記載の発明は、基台の上方に
配置された外周材と、この外周材に固定された弾性舌片とを備え、上記外周材の内側に載
置される物品に上記弾性舌片が追随して撓んで当該物品を保持する物品選別用受皿であっ
て、
上記基台と弾性舌片との間に、上記物品に追随して撓んだ弾性舌片により押し曲げられ
る弾性棒材が配置され、
上記弾性棒材は、基台の内側から外側に亘って複数の放射状の列および円弧状の行とによってブラシ状に配置され、一端部を基台に固定することにより、上記弾性舌片の撓みの大きさによって、より外側の弾性棒材まで押し曲げられるように配置され、押し曲げられた状態からの復元力により、上記弾性舌片の面で上記物品を保持させるものである。
【０００７】
上記構成によれば、弾性舌片が、押し曲げられた弾性棒材の復元力から、物品に対する
十分な保持力を得る。また、載置される物品が大きいほど、より多くの弾性棒材が押し曲げられて、弾性舌片がより大きな保持力を得るので、物品の大きさに合わせた保持力で物品を保持することが出来る。また弾性舌片の面で物品を保持するので、物品を傷付ける恐れを減少させることが出来る。
【０００８】
さらに、請求項２に記載の発明は、請求項１に記載の発明において、載置された物品に測定光が照射されて当該物品の品質を測定させるものであり、弾性棒材が、上記測定光を妨げない位置に配置されたものである。
【０００９】
上記構成によれば、載置された物品に照射される測定光を、弾性棒材が妨げない。
また、請求項３に記載の発明は、請求項１乃至２のいずれか一項に記載の発明であって、外周材に固定された前記弾性舌片は外周側で連続しかつ円周方向に多数形成され、前記物品選別用受皿はコンベヤに載置搬送され、物品選別用受皿における物品選別用受皿の搬送先側および搬送元側をそれぞれ前方および後方とし、多数形成された弾性舌片のうち、前方位置および後方位置の弾性舌片は長尺とし、側方位置の弾性舌片を短尺とし、弾性棒材は、長尺の弾性舌片の下方でかつ平面視において基台の中心に対して前後に非対称に配置されるものである。
【００１０】
上記構成によれば、物品の前側方または側方から測定光を照射することが出来、また平面視において、物品が、基台の中心に対してずれた位置に載置されるので、物品を物品選別用受皿から取り出し易くなる。
また、請求項４に記載の発明は、請求項１乃至３のいずれか一項に記載の発明の弾性棒材が、丸棒状に形成されたものである。
【００１１】
上記構成によれば、弾性棒材が容易に製造される。
また、請求項５に記載の発明は、請求項１乃至４のいずれか一項に記載の発明の弾性棒
材が、基台の略水平面に対して略垂直に配置されたものである。
【００１２】
上記構成によれば、より適切に弾性棒材が押し曲げられて、弾性舌片がより大きな保持
力を得る。
また、請求項６に記載の発明は、請求項１乃至５のいずれか一項に記載の発明の基台が
、外周材の内側に載置される物品に追随して撓んで当該物品を保持するように構成された
ものである。
【００１３】
上記構成によれば、載置された物品が沈み込み、より低い位置で当該物品が保持される。
【発明の効果】
【００１５】
本発明の物品選別用受皿は、載置された物品を適切且つ十分に保持することができる、という効果を有している。
【図面の簡単な説明】
【００１６】
【図１】本発明の実施例１に係る物品選別用受皿の斜視図である。
【図２】同物品選別用受皿の分解斜視図である。
【図３】同物品選別用受皿の平面図である。
【図４】同物品選別用受皿の側面図である。
【図５】図３のＡ−Ａ断面図である。
【図６】図４のＢ−Ｂ断面図である。
【図７】同物品選別用受皿に物品を載置した状態の縦断面図であり、（ａ）は小さな物品を載置した図を示し、（ｂ）は大きな物品を載置した図を示す。
【図８】本発明の実施例２に係る物品選別用受皿の縦断面図である。
【図９】同物品選別用受皿に物品を載置した状態の縦断面図である。
【図１０】本発明の実施例３に係る物品選別用受皿の平面図である。
【図１１】同物品選別用受皿の側面図である。
【図１２】図１０のＣ−Ｃ断面図である。
【図１３】図１１のＤ−Ｄ断面図である。
【図１４】同物品選別用受皿に物品を載置した状態の縦断面図である。
【発明を実施するための形態】
【実施例１】
【００１７】
以下、本発明の実施例１に係る物品選別用受皿を図面に基づき説明する。
まず、この物品選別用受皿の用途について簡単に説明する。
上記物品選別用受皿は、果物や野菜など（物品の一例であり以下では単に農産物という）を、出荷前にその等階級に基づいて選別するために使用される。農産物の選別は、農産物選別設備における次の（１）〜（６）の工程により行われる。すなわち、（１）農産物を物品選別用受皿に載置してコンベヤで搬送する、（２）搬送されている農産物に測定光を側方（または前側方）から照射するとともに、この農産物を透過した測定光（正確には透過光）を上方で計測する、（３）計測された透過光の状態を解析することで、当該農産物の内部品質（熟度や糖度など）を調べる、（４）一方で、当該農産物の外観品質（形状や大きさなど）を調べる、（５）これら内部品質および外観品質から当該農産物の等階級を決定する、（６）決定された等階級に基づいて農産物を仕分ける、という工程である。なお、以下では、この物品選別用受皿の搬送先側を前方とし、搬送元側を後方とする。
【００１８】
次に、上記物品選別用受皿の構成について図１〜図７に基づき説明する。
図１および図２に示すように、この物品選別用受皿１は、概略的に、台座となる受皿本体２と、この受皿本体２の上部に装着されて農産物Ｔを収容するカバー体３と、上記受皿本体２とカバー体３との間に配置されてカバー体３に収容された農産物Ｔへの衝撃を緩衝する弾性体４とから構成されている。また、上記物品選別用受皿１には、詳しくは後述するが、上記測定光の通路が形成されている。
【００１９】
上記受皿本体２は、図２および図５に示すように、中央開口２０が形成された底面部２１と、この底面部２１の内周縁（つまり中央開口２０の縁）に垂設された内側筒壁部２２と、上記底面部２１の外周縁に垂設された外側筒壁部２３と、この外側筒壁部２３の上端の３箇所に垂設された３つの支柱部２４と、上記内側筒壁部２２から外側筒壁部２３に亘って放射状に設けられた複数の補強リブ２９とを具備する。これら内側筒壁部２２、外側筒壁部２３および補強リブ２９は、それぞれの上部で弾性体４に当接し得るものである。また、上記外側筒壁部２３の外側面には、載置された農産物Ｔを農産物選別設備に識別させるためのバーコードシール（図示省略）が貼付されている。上記３つの支柱部２４は、図２および図６に示すように、１つが前方に位置し、２つが後側方に位置する。また、前方の支柱部２４と、後側方の両支柱部２４との間が、上記測定光を側方（または前側方）から通過させ得る空間となる。さらに、図２、図４および図５に示すように、上記３つの支柱部２４の上部には、上記カバー体３が係合され得る切欠き２４ａが形成されている。なお、上記中央開口２０の底面部２１側には、前後および左右に十字状の補強材２８が設けられている。
【００２０】
上記カバー体３は、図２および図５に示すように、上記支柱部２４の上部に装着される環枠部（外周材の一例である）３４と、この環枠部３４に外周側が固定されるとともに内周側に農産物Ｔを収容し得る中央開口３０が形成された可撓シート部３５とを具備する。上記環枠部３４は、上記３つの支柱部２４に対応する位置、すなわち、前方および後側方の３つの位置に、３つの支柱部２４の切欠き２４ａにそれぞれ係合し得る３つの係合爪３４ａを有する。上記可撓シート部３５は、弾性材料からなり、図１〜図３に示すように、上記中央開口３０から外周側（環枠部３４側）近く亘って放射状に多数の切り込みを有する。このため、上記可撓シート部３５には、可撓性の舌片（弾性舌片である）３６が円周方向に多数形成されている。また、隣り合う舌片３６は、外周側で連続している。すなわち、これら多数の舌片３６は、外周側で環枠部３４に固定されるとともに、内周側（中央開口３０側）で自由端とされている。言い換えれば、上記多数の舌片３６は、中央開口３０に農産物Ｔを収容した際、内周側（中央開口３０側）が当該農産物Ｔに追随して下方へ撓むようにされている。また、上記多数の舌片３６のうち、前方および前側方の位置のものと、後方および後側方の位置のものとは長尺３６Ｌにされており、それ以外の位置のものは短尺３６Ｓにされている。
【００２１】
上記弾性体４は、弾性材料からなり、図２に示すように、中央開口４０が形成された略円板状の基台部（基台である）４５と、この基台部４５の上面（略水平面である）からブラシ状に鉛直上方へ突出させた多数の丸棒状の緩衝突起（弾性棒材の一例である）４６Ｐからなる緩衝部４６と、上記基台部４５の下面から下方へ突出させた位置決めリブ４９とを具備する。上記基台部４５には、中央開口４０の縁に面取りされて農産物Ｔを受け得るテーパ面４５ｔが形成されている。上記位置決めリブ４９は、それらの側面を受皿本体２の各補強リブ２９の側面に当接させて、受皿本体２に対して弾性体４を位置決めするものである。上記緩衝部４６の緩衝突起４６Ｐは、上記中央開口４０の縁から放射状に、且つ上記測定光の通過を妨げない位置で前後非対称に配置されている。例えば、図２および図６に示すように、緩衝部４６は、中央開口４０の中心から、前方の支柱部２４からに向かう位置と、後側方の両支柱部２４およびこれらの間に向かう位置とに配置されている。なお、上記緩衝部４６は、基台部４５と一体に形成されている。
【００２２】
ところで、上記受皿本体２および弾性体４の中央開口２０，４０は、載置された農産物Ｔからのごみを下方へ排出するための開口であり、上述したように十字状の補強材２８が設けられていることからも、透過光を通過させるものではない。
【００２３】
以下、上記物品選別用受皿１の組み立て方法について説明する。
まず、受皿本体２に弾性体４を配置する。具体的には、受皿本体２の各補強リブ２９の側面に弾性体４の各位置決めリブ４９の側面を当接させ、受皿本体２に対して弾性体４を位置決めする。そして、弾性体４をそのまま受皿本体２に押し込み、弾性体４の基台部４５を内側筒壁部２２、外側筒壁部２３および補強リブ２９に当接させる。これにより、弾性体４の緩衝突起４６Ｐが測定光を妨げない位置となるように、弾性体４が受皿本体２に配置される。
【００２４】
次に、受皿本体２にカバー体３を装着する。具体的には、受皿本体２の支柱部２４の切欠き２４ａにカバー体３の係合爪３４ａを係合する。これにより、長尺の舌片３６Ｌの下方に緩衝突起４６Ｐが位置するように、カバー体３が受皿本体２に装着される。このようにして、物品選別用受皿１が組み立てられる。
【００２５】
以下、本発明の要旨である上記物品選別用受皿１における緩衝部４６の緩衝突起４６Ｐと、これら緩衝突起４６Ｐの上方に位置する長尺の舌片３６Ｌとの関係について詳細に説明する。
【００２６】
まず、上記緩衝突起４６Ｐの配置について説明する。
上記緩衝突起４６Ｐは、図２および図６に示すように、ブラシ状に、すなわち、複数の列および行に配置されている。上記列は放射状であり、上記行は円弧状である。また、上記放射状の列の間は等しくされている。さらに、上記緩衝突起４６Ｐは、図１および図２に示すように、いずれも、長尺の舌片３６Ｌの下方に配置され、形状（長さおよび径）が等しくされている。言い換えれば、緩衝部４６は、上方を長尺の舌片３６Ｌで覆われており、同一形状の緩衝突起４６Ｐからなるものである。
【００２７】
次に、上記緩衝突起４６Ｐと舌片３６との関係について説明する。
ブラシ状に配置された緩衝突起４６Ｐの高さ（長さ）は、図５に示すように、物品選別用受皿１に農産物Ｔを載置しない状態において、舌片３６と緩衝突起４６Ｐとが接することなく、図７（ａ）および（ｂ）に示すように、物品選別用受皿１に農産物Ｔを載置した状態（舌片３６が下方へ撓んだ状態）において、長尺の舌片３６Ｌと緩衝突起４６Ｐとが接するようにされている。
【００２８】
上記舌片３６は、上述したように、可撓シート部３５の中央開口３０に農産物Ｔを収容した際、内周側（中央開口３０側）が当該農産物Ｔに追随して下方へ撓むようにされている。また、図７（ａ）および（ｂ）に示すように、下方へ撓んだ舌片３６のうち長尺のもの３６Ｌは、それらの下面で緩衝突起４６Ｐを外側へ薙ぎ倒して（押し曲げて）いき、これら外側へ薙ぎ倒された（押し曲げられた）緩衝突起４６Ｐの復元力から、上方内側への力、すなわち、収容された農産物Ｔに対する保持力を得て、当該農産物Ｔを保持するものである。言い換えれば、ブラシ状に配置された緩衝突起４６Ｐは、下方へ撓んだ舌片３６により、最も内周側のものから外周側のものへ次々に薙ぎ倒され、薙ぎ倒された状態からの復元力により、長尺の舌片３６Ｌに上記農産物Ｔを保持させるものである。なお、上記舌片３６は、可撓シート部３５の中央開口３０に農産物Ｔを収容し易くするため、図１および図５に示すように、物品選別用受皿１に農産物Ｔを載置しない状態において、内周側が僅かに下方へ撓んだ形状である。
【００２９】
また、上記物品選別用受皿１は、より大きな農産物Ｔが載置されると、より大きな保持力で当該農産物Ｔを保持するものである。例えば、図７（ａ）に示すように、可撓シート部３５の中央開口３０に小さな農産物Ｔを収容すると、この農産物Ｔに追随する舌片３６の下方への撓みが小さいので、内周側の緩衝突起４６Ｐだけが、下方へ撓んだ長尺の舌片３６Ｌに薙ぎ倒される。このため、緩衝突起４６Ｐからの復元力が小さく、当然ながら上記小さな農産物Ｔに対する保持力も小さくなる。これに対して、図７（ｂ）に示すように、可撓シート部３５の中央開口３０に大きな農産物Ｔを収容すると、この農産物Ｔに追随する舌片３６の下方への撓みが大きいので、外周側の緩衝突起４６Ｐまでもが、下方へ撓んだ長尺の舌片３６Ｌに薙ぎ倒される。このため、緩衝突起４６Ｐからの復元力が大きく、当然ながら上記大きな農産物Ｔに対する保持力も大きくなる。すなわち、上記緩衝部４６は、内周側から外周側まで放射状に配置された緩衝突起４６Ｐからなるので、可撓シート部３５の中央開口３０に収容される農産物Ｔが大きいほど、より外周側の緩衝突起４６Ｐまで薙ぎ倒されて、より大きな保持力で舌片３６に農産物Ｔを保持させるものである。また、上記緩衝部４６は、上述したように緩衝突起４６Ｐが前後非対称に配置されていることで、中心に載置された農産物Ｔに作用する復元力が前後で異なり、これら復元力が前後で釣り合うように農産物Ｔを前後に若干ずらすものである。
【００３０】
以下、上記物品選別用受皿１の使用方法について説明する。
まず、物品選別用受皿１に農産物Ｔを載置する。具体的には、可撓シート部３５の中央開口３０に農産物Ｔを収容する。すなわち、中央開口３０に農産物Ｔを入れることで、可撓シート部３５の舌片３６は下方へ撓み、それらのうち長尺の舌片３６Ｌにより、緩衝突起４６Ｐが外側へ薙ぎ倒されていく。このとき、薙ぎ倒された緩衝突起４６Ｐからの復元力が舌片３６を介して農産物Ｔに作用するが、そのまま農産物Ｔを押し入れて弾性体４のテーパ面４５ｔで受けさせる。これにより、舌片３６が農産物Ｔに追随してさらに下方まで撓み、また、より外周側の緩衝突起４６Ｐまでもが薙ぎ倒されて、大きな保持力で農産物Ｔが保持される。また、農産物Ｔを可撓シート部３５の中心に入れても、より緩衝突起４６Ｐの数が少なく復元力が小さい前側に農産物Ｔが若干ずれる。
【００３１】
次に、農産物Ｔが載置された物品選別用受皿１を、図示しないが、農産物選別設備のコンベヤで搬送させる。このコンベヤの上流側では、農産物選別設備により、物品選別用受皿１に貼付されたバーコードシール（図示省略）が読み取られて、当該物品選別用受皿１に載置された農産物Ｔが識別される。
【００３２】
その後、農産物選別設備における内部品質測定装置（図示省略）の光源から、物品選別用受皿１に載置されて搬送されている農産物Ｔに側方（または前側方）から測定光が照射される。この測定光は、物品選別用受皿１の支柱部２４間を通過して農産物Ｔを透過し、この透過光が上方で上記内部品質測定装置の受光部により計測される。そして、計測された透過光の状態を解析することで、当該農産物Ｔの内部品質（熟度や糖度など）を調べる。一方で、外観品質測定装置（図示省略）により、当該農産物Ｔの外観品質（形状や大きさなど）を調べる。これら内部品質および外観品質から当該農産物Ｔの等階級を決定する。農産物選別設備では、決定した等階級と認識された農産物Ｔとが関連付けられ、この等階級に基づいて農産物Ｔが仕分けられる。
【００３３】
このように、本実施例１に係る物品選別用受皿１によると、薙ぎ倒された丸棒状の緩衝突起４６Ｐの復元力により、長尺の舌片３６Ｌに農産物Ｔを保持させるので、大きな保持力で、すなわち、確実に農産物Ｔを保持するとともに作業者が農産物Ｔを取り出し易い適度な保持力で、適切且つ十分に農産物Ｔを保持することができる。
【００３４】
また、農産物Ｔが大きいほど、より多くの緩衝突起４６Ｐが薙ぎ倒されて、舌片３６がより大きな保持力を得るので、農産物Ｔの大きさに合わせた保持力で農産物Ｔを保持することができる。
【００３５】
さらに、緩衝突起４６Ｐが、基台部４５の略水平な上面から鉛直上方に突出しているので、より適切に薙ぎ倒されて、より適切且つ十分に農産物Ｔを保持することができる。
また、載置された農産物Ｔは、大きな保持力で保持されていても、舌片３６の面およびテーパ面４５ｔのみが接するので、農産物Ｔを傷付けるおそれを減少させることができる。
【００３６】
また、支柱部２４および緩衝部４６が、測定光を妨げない位置に配置されているので、コンベヤで搬送される農産物Ｔに、前側方または側方から測定光を照射して、容易に内部品質を調べることができる。
【００３７】
また、緩衝突起４６Ｐが丸棒状に形成されることにより、容易に緩衝部４６を製造することができる。
また、載置された農産物Ｔは、大きな保持力で保持されていても、平面視で可撓シート部３５の中心から若干ずれた位置に収容されるので、農産物Ｔを物品選別用受皿１から取り出し易くすることができる。
【実施例２】
【００３８】
本実施例２に係る物品選別用受皿１は、上記実施例１に係る物品選別用受皿１に比べて、載置された農産物Ｔの飛び出しをさらに防止することができるものである。
【００３９】
以下、本実施例２に係る物品選別用受皿１について図８および図９に基づき説明するが、上記実施例１と異なる基台部４５の形状に着目して説明するとともに、上記実施例１と同一の構成については、同一符号を付してその説明を省略する。
【００４０】
本実施例２に係る物品選別用受皿１の基台部４５には、図８に示すように、撓み代としての空間部４５ｓが内周側から形成されている。すなわち、上記基台部４５は、空間部４５ｓからの上部が下方へ撓み得るように構成されている。言い換えれば、上記基台部４５は、その上部が、物品選別用受皿１に載置された農産物Ｔに追随して下方へ撓むとともに、撓んだ状態からの復元力により、当該農産物Ｔを保持するものである。
【００４１】
上記物品選別用受皿１に農産物Ｔを載置すると、図９に示すように、実施例１での状態（図７参照）に加え、基台部４５の上部も農産物Ｔに追随して下方へ撓んで、農産物Ｔが沈み込み、より低い位置で農産物Ｔが保持される。
【００４２】
このように、本実施例２に係る物品選別用受皿１によると、より低い位置で農産物Ｔが保持されるので、載置された農産物Ｔの飛び出しをさらに防止することができる。
【００４３】
また、長尺の舌片３６Ｌだけでなく、基台部４５の上部も、農産物Ｔに対する保持力を有するので、より一層適切且つ十分に農産物を保持することができる。
【００４４】
さらに、載置された農産物Ｔは、大きな保持力で保持されていても、長尺の舌片３６Ｌおよび基台部４５の上部が接するので、物品選別用受皿１に接する面積が大きく、農産物Ｔを傷付けるおそれをより減少させることができる。
【実施例３】
【００４５】
本実施例３に係る物品選別用受皿１は、上記実施例１および２に係る物品選別用受皿１に比べて、載置された農産物Ｔをその大きさに関わらず安定して保持することができるものである。
【００４６】
以下、本実施例３に係る物品選別用受皿１について図１０〜図１４に基づき説明するが、上記実施例１および２と異なる箇所に着目して説明するとともに、上記実施例１および２と同一の構成については、同一符号を付してその説明を省略する。
【００４７】
本実施例３に係る物品選別用受皿１の受皿本体２は、図１１〜図１３に示すように、支柱部２４を具備せず、その代わりに、カバー体３にまで達する外側筒壁部１２３を具備する。このため、カバー体３が係合され得る切欠き１２４ａは、外側筒壁部１２３に形成されている。また、中央開口２０，４０，３０が測定光の通路となり得る。
【００４８】
カバー体３の多数の舌片１３６は、図１０に示すように、全てが同一形状にされている。これら舌片１３６の長さは、上記実施例１および２に係る長尺の舌片３６Ｌと略同一にされている。
【００４９】
弾性体４の緩衝突起１４６Ｐは、図１３に示すように、基台部１４５の中心に対して円周状に配置されている。この円周状の配置とは、円周状に見える配置であり、具体的に説明すると、隣り合う緩衝突起１４６Ｐと上記中心とのなす角がいずれも３０度未満となる配置である。上記配置は、本実施例３では一例として１重円（１行）を示すが、多重円（複数行）であってもよく、基台部１４５の中心に対して非対称であってもよい。上記緩衝突起１４６Ｐは、全ての舌片１３６の下方に配置されている。ここで、各舌片１３６の下方に配置される緩衝突起１４６Ｐの数は等しくされており、本実施例３では一例として３本である。また、１つの舌片１３６の下方に配置される緩衝突起１４６Ｐにおける列の間も等しくされている。なお、全ての緩衝突起１４６Ｐは、図１２および図１３に示すように、弾性円環板１４６Ｃの上面から突出させたものである。すなわち、緩衝部１４６は、緩衝突起１４６Ｐおよび弾性円環板１４６Ｃからなり、基台部１４５に対して着脱自在に構成されている。
【００５０】
上記物品選別用受皿１に農産物Ｔを載置すると、図１４に示すように、少なくとも最も内周側の１重円の緩衝突起１４６Ｐ全てが、全ての舌片１３６に薙ぎ倒される。このため、全ての舌片１３６が農産物に対する保持力を得る。すなわち、農産物Ｔが全周囲から舌片１３６により保持される。
【００５１】
上記物品選別用受皿１の使用方法において、農産物Ｔの内部品質を調べるための測定光は、側方（または前側方）から照射して下方で計測してもよく、下方から照射して側方または上方で計測してもよい。
【００５２】
このように、本実施例３に係る物品選別用受皿１によると、農産物Ｔが全周囲から舌片１３６により保持されるので、載置された農産物Ｔをその大きさに関わらず安定して保持することができる。
【００５３】
ところで、上記実施例１〜３では、外周材の一例として環枠部３４について説明したが、その形状は環状に限定されず、また、一体物（連続した形状の枠）である必要はない。外周材は、その内側に農産物Ｔが載置される形状、すなわち、載置された農産物Ｔを囲う形状であればよい。
【００５４】
また、上記実施例１〜３では、緩衝突起４６Ｐ，１４６Ｐが基台部４５，１４５から鉛直上方に突出したものとして説明したが、これに限定されるものではない。例えば、緩衝突起４６Ｐ，１４６Ｐは、舌片３６Ｌ，１３６の下面から下方に突出したものでもよく、また、舌片３６，１３６および基台部４５，１４５と一体でないものであってもよい。さらに、緩衝突起４６Ｐ，１４６Ｐは、基台部４５の上面に対して傾斜させたものであってもよい。
【００５５】
さらに、上記実施例１〜３では、上記緩衝突起４６Ｐ，１４６Ｐの配置および高さ（長さ）について説明したが、これらは一例に過ぎない。緩衝突起４６Ｐは、平面視で千鳥状に配置されてもよく、また、それぞれの高さ（長さ）が異なってもよい。なお、緩衝突起４６Ｐ，１４６Ｐの形状は、上記実施の形態で説明した丸棒状に限定されず、横断面が多角形や楕円などであってもよく、つまり棒状であればよい。これら緩衝突起４６Ｐ，１４６Ｐの配置、高さ（長さ）および形状は、農産物Ｔをより適切且つ十分な保持力で保持するようにされていることが好ましい。
【００５６】
また、上記実施例１〜３では、物品の一例として、果物や野菜などの農産物Ｔについて説明したが、これに限定されるものではない。例えば、物品は、他の食料品など出荷前に検査されて選別されるものであればよい。
【００５７】
また、上記実施例１〜３では、農産物Ｔの内部品質を調べるための測定光についても説明したが、この照射方向および計測方向は一例に過ぎず、農産物Ｔの種類に応じて適宜選択される。
【符号の説明】
【００５８】
Ｔ    農産物
１    物品選別用受皿
３４    環枠部
３６Ｌ  長尺の舌片
４５    基台部
４５ｔ  テーパ面
４５ｓ  空間部
４６Ｐ  緩衝突起
【図１】
0005967003.tif 000002
【図２】
0005967003.tif 000003
【図３】
0005967003.tif 000004
【図４】
0005967003.tif 000005
【図５】
0005967003.tif 000006
【図６】
0005967003.tif 000007
【図７】
0005967003.tif 000008
【図８】
0005967003.tif 000009
【図９】
0005967003.tif 000010
【図１０】
0005967003.tif 000011
【図１１】
0005967003.tif 000012
【図１２】
0005967003.tif 000013
【図１３】
0005967003.tif 000014
【図１４】
0005967003.tif 000015